(57)【要約】【課題】コネクタとそのハウジングを提供する。【解決手段】コネクタのハウジングは、少なくとも一つの発光素子を備え、発光素子は少なくとも一つのピンを有し、ハウジングは、本体、及び、少なくとも一つの締結構造を有する。発光素子は本体内に収容される。締結構造は本体と連結され、発光素子のピンを締結して、発光素子と本体を連結させる。【選択図】図２
2008153193.tif 000002
【特許請求の範囲】
【請求項１】
コネクタのハウジングであって、少なくとも一つの発光素子を備え、前記発光素子は少なくとも一つのピンを有し、前記ハウジングは、
前記発光素子が容置される本体と、
前記本体と連結し、前記発光素子の前記ピンを締結して、前記発光素子を前記本体に固設する少なくとも一つの締結構造と、
からなることを特徴とする方法。
【請求項２】
前記締結構造は、前記本体と一体成型されるか、或いは、前記締結構造は、粘接、係接、鎖接、或いは、溶接の方式で、前記本体と連結することを特徴とする請求項１に記載のコネクタのハウジング。  
【請求項３】
前記締結構造は、槽孔と締結部を有し、前記締結部は前記槽孔に隣設され、前記発光素子の前記ピンを締結し、前記締結部は、弾性変形する凸ブロック、或いは、フックであることを特徴とする請求項１に記載のコネクタのハウジング。
【請求項４】
前記本体上に少なくとも一つの開口部を設置し、前記発光素子が前記本体に容置される時、前記開口部は前記発光素子の一部を露出して、前記発光素子が発射する光線を射出するものであることを特徴とする請求項１に記載のコネクタのハウジング。
【請求項５】
コネクタであって、
少なくとも一つの連接部と、
少なくとも一つのピンと、
少なくとも一部の前記連接部を被覆し、本体、及び、少なくとも一つの締結部を有し、前記発光素子が容置され、前記締結部は前記本体と連結し、前記発光素子の前記ピンを締結して、前記発光素子を前記本体に固設するハウジングと、
からなることを特徴とするコネクタ。
【請求項６】
前記締結部は前記本体と一体成型されるか、粘接、係接、鎖接、或いは、溶接の方式で、前記本体と連結することを特徴とする請求項５に記載のコネクタ。  
【請求項７】
前記締結部は、槽孔と締結部を有し、前記締結部は前記槽孔に隣設され、前記発光素子の前記ピンを締結し、前記締結部は弾性変形することを特徴とする請求項５に記載のコネクタ。
【請求項８】
前記締結部は凸ブロック、或いは、フックであることを特徴とする請求項７に記載のコネクタ。  
【請求項９】
前記連接部は、容槽、及び、複数の端子を有し、前記端子は前記容槽中に嵌設されて、外部のコネクタケーブルの連接プラグと前記端子を結合することを特徴とする請求項５に記載のコネクタ。
【請求項１０】
前記ハウジング上に、更に、複数のピンを有し、且つ、前記ピンは前記端子と電気的に接続し、外部の前記連接ケーブルの前記連接プラグと前記端子が結合する時、前記コネクタは、前記端子により外部システムと信号伝送を実行することを特徴とする請求項９に記載のコネクタ。
【請求項１１】
前記発光素子の前記ピンは、前記連接部の位置に対応して設置され、前記発光素子は表示機能を発揮することを特徴とする請求項５に記載のコネクタ。
【請求項１２】
前記本体上に、更に、少なくとも一つの開口を有し、前記発光素子が前記本体に容置される時、前記開口は、前記発光素子の一部を露出して、前記発光素子が発射する光線を射出することを特徴とする請求項５に記載のコネクタ。
【請求項１３】
前記コネクタは、RJ１１コネクタ、RJ１２コネクタ、RJ４５コネクタ、或いは、USBコネクタで、前記発光素子は、発光ダイオード（LED）、有機発光ダイオード（OLED）、或いは、レーザーダイオード（LD）であることを特徴とする請求項５に記載のコネクタ。
【発明の詳細な説明】
【技術分野】
【０００１】
本発明は、コネクタとそのハウジングに関するものであって、特に、発光素子を有するコネクタとそのハウジングに関するものである。
【背景技術】
【０００２】
情報科学技術の急速な発展に伴い、コンピュータの応用も普及し、インターネット技術の快速な発展下で、コンピュータとインターネットの結合は快速に必要な情報を獲得でき、また、多様な情報サービスを提供することができるので、インターネットによりコンピュータやその周辺設備に連結することは、情報時代の趨勢となっている。
【０００３】
公知技術は、インターネットと各種コネクタにより、異なる位置に分散した電子設備と連接し、各種信号と情報の伝送を達成する。図１で示されるように、公知のコネクタ１は、ハウジング１２と四個の連接部１１からなり、且つ、ハウジング１２はこれらの連接部１１を被覆する。各連接部１１は連接ジャック１１１を有し、連接ジャック１１１は複数の端子１１２をその中に嵌設して、少なくとも一つのコネクタケーブル１０の連接プラグ１０１を挿入結合し、信号の伝送を実行する。連接ジャック１１１と連接プラグ１０１は標準規格に符合する必要がある。
【０００４】
コネクタ１と連接するインターネット、或いは、電子設備の異なる作動状態を表示するため、コネクタ１は、更に、例えば、発光ダイオード（LED）等の複数の発光素子１３を有し、それぞれ、連接部１１に対応してハウジング１２内に設置され、対応する連接部１１の作動状況を個別に表示して、使用者が識別できる。発光素子１３とハウジング１２の組立て過程で、ハウジング１２は複数のスロット１２１を有し、発光素子１３の複数のピン１３１を滑動後、適当な位置に設置される。続いて、ゲル１４を分注方式により、ピン１３１の周囲に粘着させ、更に、ベーキングによりゲル１４を固化して、ピン１３１をハウジング１２上に固定する工程を完成させる。
【０００５】
しかし、発光素子１３を装着したコネクタ１のテスト実行時、発光素子１３の故障やハウジングの瑕疵がある場合、一素子の損壊であっても、コネクタ１全てを廃棄しなければならず、製造コストが増加する。更に、分注とベーキングの工程は製品製作の効率を低下させるだけでなく、加工が増加する時、人工分注によるミスにより不良率が高くなる。
【０００６】
よって、製造効率が高く、歩留まりがよく、製造コストを減少することができるコネクタとそのハウジングの提供が望まれている。    
【発明の開示】
【発明が解決しようとする課題】
【０００７】
本発明は、製造効率が高く、歩留まりがよく、製造コストを減少することができるコネクタとそのハウジングを提供することを目的とする。
【課題を解決するための手段】
【０００８】
上述の目的によると、本発明のコネクタのハウジングは、少なくとも一つの発光素子を備え、発光素子は少なくとも一つのピンを有し、ハウジングは、本体、及び、少なくとも一つの締結部を有する。発光素子は本体内に収容される。締結部は本体と連結され、発光素子のピンを締結して、発光素子と本体を連結させる。
【０００９】
上述の目的を達成するため、本発明のコネクタは、連接座、少なくとも一つの発光素子、及び、ハウジングからなる。発光素子は少なくとも一つのピンを有する。ハウジングは少なくとも一部の連接部を被覆し、ハウジングは、本体、及び、少なくとも一つの締結部を有する。発光素子は本体に収容される。締結部は本体と連結され、発光素子のピンを締結して、発光素子と本体を固設する。
【発明の効果】
【００１０】
本発明のコネクタとそのハウジングは締結部により少なくとも一つの発光素子のピンをハウジング上に締結する。公知技術と比較すると、本発明は、ゲルにより発光素子のピンをハウジングに粘着する工程を排除し、発光素子とハウジングの組立工程を簡潔にして、製造コストを減少させる。更に、テスト後、再加工（rework）する時、締結部のピンに対する締結状態を解除するだけで、発光素子とハウジングが分離し、再加工が便利である。
【発明を実施するための最良の形態】
【００１１】
以下では、図式を参照して、本発明の好ましい実施例によるコネクタとそのハウジングを説明し、相同の素子は相同の符号により説明する。
【００１２】
図２と図３は、本発明の好ましい実施例によるコネクタを示す図である。図３は図２Aの部分拡大図である。本発明の好ましい実施例によるコネクタ２は、少なくとも一つの連接部２１、少なくとも一つの発光素子２２、及び、ハウジング２３、からなる。本実施例中、コネクタ２はRJ１１コネクタ、RJ１２コネクタ、RJ４５コネクタ、或いは、USBコネクタである。
【００１３】
本実施例のコネクタ２は、四個の連接部２１、及び、四個の発光素子２２を例として説明しているが、連接部２１と発光素子２２の個数はこれに限定されず、使用者の必要に応じて変更できる。連接部２１は、それぞれ、容槽２１１、及び、複数の端子２１２を有する。これらの端子２１２は容槽２１１中に嵌設されて、外部のコネクタケーブルの連接プラグ（図示しない）と端子２１２を結合し、複数のピン２４によりこれらの端子２１２と電気的に接続して、外部のシステム（図示しない）と信号伝送を実行する。
【００１４】
ハウジング２３は、本体２３１と少なくとも一つの連結部２３２を有し、本体２３１は、少なくとも一部の連接部２１を被覆し、締結部２３２は本体２３１と連結する。締結部２３２は、本体２３１と一体成型してもよい。本実施例中、締結部２３２は直接、本体２３１の一表面に形成しているが、これは一例であり、本発明を制限するものではない。また、締結部２３２と本体２３１は個別の素子であってもよく、締結部２３２は粘接、係接、鎖接、或いは、溶接の方式で、本体２３１と連結する。
【００１５】
本実施例中、締結部２３２は槽孔２３２ａと締結片２３２ｂを有し、締結片２３２ｂは槽孔２３２ａに隣設される。詳細には、締結片２３２ｂは、槽孔２３２ａの一側から沿設され、且つ、締結片２３２ｂは弾性変形し、凸ブロック、或いは、フックからなる。複数の発光素子２２はハウジング２３の本体２３１内に容置され、且つ、各発光素子２２は、それぞれ、少なくとも一つのピン２２１を有する。本実施例中、各発光素子２２は二ピン２２１を例として説明している。ここで、ピン２２１はそれぞれ本体２３のスロット２３３中に穿入され、スロット２３３中で自由に滑動すると共に、締結片２３２ｂは弾性変形して発光素子２２のピン２２１を締結し、発光素子２２はハウジング２３の本体２３１上に固設され、且つ、発光素子２２のピン２２１は連接部２１の位置に対応して設置され、表示功能を提供し、例えば、外部のコネクタケーブルと各連接部２１の間の結合状態を表示する。また、本体２３１は連接部２１の容槽２１１に近接する周縁に少なくとも一つの開口２５を有し、一部の発光素子２２を露出して、発光素子２２が発射する光線を射出する。発光素子２２は発光ダイオード（LED）、有機発光ダイオード（OLED）、或いは、レーザーダイオード（LD）である。
【００１６】
上述のように、本発明のコネクタとそのハウジングは、締結部により、少なくとも一つの発光素子のピンをハウジング上に締結する。公知技術と比較すると、本発明は、分注後にベーキングして発光素子のピンをハウジングに固定する工程を排除し、発光素子とハウジングの組立工程を簡潔にし、且つ、製造効率と歩留まりを増加させ、製造コストを減少させる。更に、テスト後、再加工（rework）する時、ピンとコネクタハウジングは物理性結合で固定されるので、締結構造のピンに対する締結状態を解除するだけで、発光素子とハウジングが容易に分離し、再加工が便利である。
【００１７】
本発明では好ましい実施例を前述の通り開示したが、これらは決して本発明に限定するものではなく、当該技術を熟知する者なら誰でも、本発明の技術思想の領域を脱しない範囲内で各種の変動や潤色を加えることができ、従って本発明の保護範囲は、特許請求の範囲で指定した内容を基準とする。
【図面の簡単な説明】
【００１８】
【図１】公知のコネクタを示す図である。
【図２】本発明の好ましい実施例によるコネクタを示す図である。
【図３】図２中のA部分の拡大図である。
【符号の説明】
【００１９】
・  コネクタ
１０  コネクタケーブル
１０１  連接プラグ
１１、２１  連接部
１１１  連接ジャック
１１２、２１２  端子
１２、２３  ハウジング
１２１、２３３  スロット
１３、２２  発光素子
１３１、２２１  ピン
１４  ゲル
２１１  容槽
２３１  本体
２３２  締結部
２３２ａ  本体
２３２ｂ  締結片
２４  ピン
２５  開口部
【図１】
2008153193.tif 000003
【図２】
2008153193.tif 000004
【図３】
2008153193.tif 000005